(57)【要約】  【課題】高い脱臭・除菌性能を維持しうる直冷式冷蔵庫の提供。  【解決手段】断熱箱体１０１と、断熱箱体１０１の開口部に開閉自在に取り付けられる断熱扉１０７と、断熱箱体１０１内の空気を直接冷却する冷却器１１０とを備える直冷式冷蔵庫１００であって、断熱箱体１０１内に配置され、光触媒が担持される担持体２０１と、光触媒を励起する励起光を担持体２０１に照射する照射手段２０２と、断熱箱体１０１内の空気を担持体２０１に向かって強制的に送風する送風ファン２０３と、送風ファン２０３により送風される空気の流路を形成する基体２０５と有する除菌装置２００と、断熱箱体１０１内壁に取り付けられる除菌装置２００を覆うカバー部材２０６と、カバー部材２０６に覆われ、断熱箱体１０１内部を照明する照明手段３００とを備える。【選択図】図２
2009030918.tif 000002
【特許請求の範囲】
【請求項１】
断熱材で構成され、内部に貯蔵室を形成する箱本体と、前記箱本体の開口部に開閉自在に取り付けられる扉体と、前記箱本体内の空気を直接冷却する冷却手段とを備える直冷式冷蔵庫であって、前記貯蔵室内に配置され、光触媒が担持される担持体と、前記光触媒を励起する励起光を前記担持体に照射する照射手段と、前記貯蔵室内の空気を前記担持体に向かって強制的に送風する送風手段と、前記送風手段により送風される空気の流路を形成する流路形成手段と有する除菌装置と、前記箱本体内壁に取り付けられる前記除菌装置を覆うカバー部材と、前記カバー部材に覆われ、箱本体内部を照明する照明手段とを備える直冷式冷蔵庫。
【請求項２】
前記除菌装置は、前記箱本体の天井面に取り付けられ、前記照明手段は、前記除菌装置より扉体側に取り付けられる請求項１に記載の直冷式冷蔵庫。
【請求項３】
前記照射手段は、光の照射方向に指向性を有し、光が扉体側から箱本体の奥側に向かうように、前記箱本体に取り付けられる請求項２に記載の直冷式冷蔵庫。
【請求項４】
前記照明手段は、前記箱本体に設けられる凹陥部に取り付けられる請求項１に記載の直冷式冷蔵庫。
【請求項５】
断熱材で構成され、内部に貯蔵室を形成する箱本体と、前記箱本体の開口部に開閉自在に取り付けられる扉体と、前記箱本体内の空気を直接冷却する冷却手段とを備える直冷式冷蔵庫に取り付けられる除菌装置であって、光触媒が担持される担持体と、前記光触媒を励起する励起光を前記担持体に照射する照射手段と、前記貯蔵室内の空気を前記担持体に向かって強制的に送風する送風手段と、前記送風手段により送風される空気の流路を形成する流路形成手段と、前記箱本体内部を照明する照明手段とを備え、前記担持体と、照射手段と、送風手段とは、前記流路形成手段に取り付けられる除菌装置。
【発明の詳細な説明】
【技術分野】
【０００１】
本発明は、貯蔵室内を直接冷却する直冷式冷蔵庫に関し、特に、貯蔵室内を除菌、消臭可能な直冷式冷蔵庫および除菌装置に関する。
【背景技術】
【０００２】
従来、小型の冷蔵庫やヨーロッパなどの乾燥地域で使用される冷蔵庫は、貯蔵室内の結露対策があまり重要とはならないため、貯蔵室内の空気を直接冷却パネルなどで冷却する直接冷却方式が一般的に採用されている。例えば、特許文献１には、直接冷却方式が採用された冷蔵庫が開示されている。
【０００３】
図７は、断熱部分を取り除いた直冷式冷蔵庫を模式的に背部から示した図である。
【０００４】
同図に示すように、直冷式冷蔵庫１００は、貯蔵室の奥壁の内側に、冷却パイプ１２１を蛇行状に備えている。そして、当該冷却パイプ１２１の内部に低温で液体の冷却剤が流通することにより、貯蔵室内の空気が直接冷却される。
【０００５】
また、特許文献２においては、直冷式冷蔵庫であって、貯蔵室内の細菌やカビの繁殖を抑制することのできる直冷式冷蔵庫が開示されている。
【０００６】
図８は、細菌やカビの繁殖を抑制する機能を備えた直冷式冷蔵庫の断面図である。
【０００７】
同図に示すように、直冷式冷蔵庫１００は、貯蔵室内の天井に有機系揮発性抗菌剤を含むシート１２２が取り付けられている。そして、シート１２２から有機系揮発性抗菌剤を徐々に蒸発させることにより、貯蔵室内の細菌やカビの繁殖を抑制しようとしている。
【特許文献１】特開平７−１２０１０８号公報
【特許文献２】特開平１０−２６２６２９号公報
【発明の開示】
【発明が解決しようとする課題】
【０００８】
ところが、直冷式冷蔵庫の場合、例えば、貯蔵室の奥面で冷却された空気は、密度が高いため貯蔵室の下部に溜まってしまい、貯蔵室内の上下方向に温度ムラが生じてしまうという問題を有している。特に、貯蔵室を上下に仕切る棚板を設け、食品などが満載された場合、貯蔵室内の温度ムラが顕著になる。
【０００９】
また、貯蔵室内で空気がよどむため、細菌やカビなどが局所的に高濃度で繁殖する問題も有している。
【００１０】
さらに、前記細菌やカビの対策として有機性揮発性抗菌剤を用いる提案はあるが、抗菌剤の蒸発量には限界がある。従って、前記抗菌剤を定期的に交換する必要が生じ、手間となる。また、貯蔵室内の対流を望めない直冷式冷蔵庫では、抗菌剤も貯蔵室内の一部に滞留し、貯蔵室内全体に殺菌などの効果を及ぼすことができないことが懸念される。また、食品を保存する貯蔵室に対して有機系の抗菌剤を適用すること自体に問題もある。
【００１１】
さらに、貯蔵室の奥面には冷却パイプが配置され、貯蔵室の天井をほぼ覆うように有機性揮発性抗菌剤を含むシートが配置されているため、貯蔵室内を照らす照明装置を取り付ける場所を選定し難いという問題も有る。
【００１２】
本発明は、上記課題を解決するためになされたものであり、直冷式冷蔵庫において強制的な冷気の循環が無い場合でも、広範囲に脱臭や除菌の効果を得るとともに、貯蔵室内を照明することができる直冷式冷蔵庫を提供することを目的としている。
【課題を解決するための手段】
【００１３】
上記目的を達成するために、本発明にかかる直冷式冷蔵庫は、断熱材で構成され、内部に貯蔵室を形成する箱本体と、前記箱本体の開口部に開閉自在に取り付けられる扉体と、前記箱本体内の空気を直接冷却する冷却手段とを備える直冷式冷蔵庫であって、前記貯蔵室内に配置され、光触媒が担持される担持体と、前記光触媒を励起する励起光を前記担持体に照射する照射手段と、前記貯蔵室内の空気を前記担持体に向かって強制的に送風する送風手段と、前記送風手段により送風される空気の流路を形成する流路形成手段と有する除菌装置と、前記箱本体内壁に取り付けられる前記除菌装置を覆うカバー部材と、前記カバー部材に覆われ、箱本体内部を照明する照明手段とを備える。
【００１４】
これにより、除菌装置と照明手段が同一のカバー部材で覆われており、コンパクトな状態で除菌、消臭と貯蔵室内の照明を行うことができる。また、照明手段で発生する熱を除菌、消臭に有効に活用することができる。また、除菌装置と照明手段との電気系統などを共有することも可能となり、省スペース、コストダウンを図ることが可能となる。
【００１５】
このように、本発明にかかる直冷式冷蔵庫は、貯蔵室内の空気を強制的に送風して当該風に含まれる細菌などを除菌し、除菌後の風を放出する。従って、貯蔵室内の空気を強制的に対流させながら貯蔵室内全体にわたって除菌を行うことが可能となる。さらに、除菌装置と共にカバー部材で覆われる照明手段で貯蔵室内を照明するため、コンパクトな除菌、照明ユニットを提供することが可能となる。
【００１６】
また、本発明の除菌装置は、貯蔵室内の空気を強制的に対流させながら貯蔵室内全体にわたって除菌を行うことが可能となる。さらに、除菌装置と共にカバー部材で覆われる照明手段で貯蔵室内を照明するため、コンパクトな除菌、照明ユニットを提供することが可能となる。
【発明の効果】
【００１７】
本発明にかかる直冷式冷蔵庫は、コンパクトな除菌、照明ユニットを提供することが可能となるので、より貯蔵室を広く使用することができ、使用者の使い勝手を向上させた冷蔵庫を提供することが可能となる。
【００１８】
また、本発明の除菌装置は、コンパクトな除菌、照明ユニットを提供することが可能となるので、より使い勝手を向上させた除菌装置を提供することが可能となる。
【発明を実施するための最良の形態】
【００１９】
次に、本発明にかかる直冷式冷蔵庫の実施の形態について、図面を参照しつつ説明する。
【００２０】
（実施の形態１）
図１は、本発明の実施の形態１における直冷式冷蔵庫の正面図である。
【００２１】
同図に示すように、本実施の形態にかかる直冷式冷蔵庫１００は、観音開き式の扉を備える直冷式冷蔵庫１００であり、箱本体としての断熱箱体１０１内に上下に区画された貯蔵室を備えている。
【００２２】
直冷式冷蔵庫１００の内の上下に区画された貯蔵室は、その機能（冷却温度）によって冷蔵室１０２と、冷凍室１０３と称される。
【００２３】
冷蔵室１０２の前面開口部には、扉体としての例えばウレタンのような発泡断熱材を発泡充填した回転式の断熱扉１０７が設けられている。また、同様に冷凍室１０３の前面にも断熱扉１０８が設けられている。これらにより冷気の漏れがないように貯蔵室を開閉可能に密閉している。
【００２４】
冷蔵室１０２は、冷蔵保存のために凍らない程度の低い温度に維持される貯蔵室である。具体的な温度の下限としては、通常１〜５℃で設定されている。
【００２５】
冷凍室１０３は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００２６】
図２は、本実施の形態における直冷式冷蔵庫を模式的に示す縦断面図である。
【００２７】
断熱箱体１０１は、外箱と内箱の間に例えば硬質発泡ウレタンなどの断熱材を充填して形成される箱体である。この断熱箱体１０１は、周囲から断熱箱体１０１内部を断熱している。
【００２８】
断熱箱体１０１の内側には、冷却手段としての冷却器１１０が断熱箱体１０１に埋設されている。
【００２９】
冷却器１１０は、圧縮機１１１などと共に冷却サイクルを形成し、冷却器１１０内部に挿通される冷媒が蒸発することで断熱箱体１０１内部の空気の熱を奪い、断熱箱体１０１内部を直接冷却する部材である。
【００３０】
断熱箱体１０１の天井には、除菌装置２００と照明手段３００とが取り付けられている。なお、除菌装置２００と照明手段３００については後述する。
【００３１】
次に、除菌装置２００について説明する。
【００３２】
図３は、直冷式冷蔵庫に取り付けられた状態の除菌装置、照明手段を示す断面図である。
【００３３】
図４は、直冷式冷蔵庫に取り付けられた状態の除菌装置、照明手段を示す底面図である。
【００３４】
本実施の形態にかかる除菌装置２００は、断熱箱体１０１内の空気中に存在する菌や胞子などを強制的に除菌するとともに、空気中に存在する有機物質を分解して脱臭をも実現することができる装置であり、光触媒が担持される担持体２０１と、前記光触媒を励起する励起光を前記担持体に照射する照射手段２０２と、送風手段としての送風ファン２０３と、吸着フィルタとしての脱臭フィルタ２０４と、流路形成手段としての基体２０５と、カバー部材２０６とを備えている。
【００３５】
担持体２０１は、空気と多く接触できるような多孔質からなる樹脂製の部材であり、光触媒が練り込まれた繊維が絡み合って形成されるフィルタ状の部材である。また、基材である樹脂は、光触媒が励起させやすい波長の光を透過できる樹脂が採用されている。
【００３６】
担持体２０１に担持される光触媒は、特定の波長の光が照射されることによって、空気中の細菌を除菌したり、空気中の臭気成分（有機物質など）を酸化や分解等をして脱臭することができる触媒であり、空気中の成分を活性化（例えば、イオン化やラジカル化）し、これに基づいて除菌したり、脱臭したりすることができると考えられている物質である。具体的に光触媒としては、酸化銀や酸化チタンを例示することができる。
【００３７】
酸化銀が除菌などの機能を発揮するために必要な光の波長は約４００ｎｍ〜５８０ｎｍ程度の可視光の青色領域である。また、酸化チタンが除菌などの機能を発揮するために必要な光の波長は３８０ｎｍである。
【００３８】
照射手段２０２は、光触媒を励起することのできる波長を含む光を放射することのできる光源２０７と、光源２０７を点灯させるための点灯基板（図示せず）などを備える装置である。
【００３９】
光源２０７は、上記波長の光を含む波長の光が所定量発光できるものであれば良く、紫外線ランプや通常の電球などを例示することができる。また、光触媒が酸化銀の場合、可視光領域の青色（４７０ｎｍ）が発光するＬＥＤを採用することで、長寿命化、低コスト化を図ることが可能となる。また、光触媒が酸化チタンの場合、３８０ｎｍのＵＶ光を発光するＵＶ−ＬＥＤを採用することも可能である。
【００４０】
本実施の形態の場合、光触媒として酸化銀を採用し、照射手段２０２の光源２０７としてのＬＥＤを細長い基板上に３個並んで配置したものを採用している。
【００４１】
送風ファン２０３は、中心にモータが配置され、一定方向に曲げられた複数枚の羽が前記モータの回転軸に放射状に取り付けられたものであり、前記モータと羽が一つのケーシング内に納められたものである。そして送風ファン２０３は、電源の投入により前記モータが回転し、モータによって駆動される羽が一定方向に空気を送風する機能を有している。
【００４２】
脱臭フィルタ２０４は、断熱箱体１０１内に存在する臭気成分を吸着して除去する吸着フィルタとしての機能を有するものである。具体的には、脱臭フィルタ２０４として、活性炭で構成されるハニカム構造の部材等を例示することができる。このような脱臭フィルタ２０４は、ハニカム構造の孔に空気を挿通させることで、空気内に存在する臭気成分を吸着させることができる。
【００４３】
基体２０５は、担持体２０１と、送風ファン２０３と、脱臭フィルタ２０４とを保持することができる樹脂で形成された部材である。担持体２０１と、送風ファン２０３と、脱臭フィルタ２０４とが取り付けられた状態の基体２０５を断熱箱体１０１の所定の場所にねじ止めすることにより、断熱箱体１０１内部に除菌装置２００が形成される。
【００４４】
基体２０５が断熱箱体１０１に取り付けられた状態においては、基体２０５は、送風ファン２０３により空気が基体２０５内部に導入される部分と、導入された空気が基体２０５外部に導出される部分以外は、基体２０５から空気が漏れない（漏れにくい）構造となっている。従って、断熱箱体１０１と基体２０５との間で送風ファン２０３により送風される空気の流路が形成される。
【００４５】
基体２０５は、担持体２０１の最も広い面が断熱箱体１０１側に取り付けられた照射手段２０２に面するように担持体２０１を保持している。
【００４６】
基体２０５は、担持体２０１が直接基体２０５に接触しないように、基体２０５から離れた状態で保持している。具体的には基体２０５から延びた細い複数の柱状部材の先端に担持体２０１が取り付けられている。これにより、担持体２０１は、ほぼ宙に浮いた状態となり、担持体２０１のほぼ全面積と送風ファン２０３により導入された空気とを接触させることが可能となる。また、基体２０５の他の部分と接触しない態様とすることで、基体２０５に発生した結露が担持体２０１に移ることを可及的に防止している。また、担持体２０１が流通する空気になびいたり、重力などで担持体２０１が撓むことがないように保持されて、担持体２０１の表面がまっすぐに維持されているため、照射手段２０２からの光が届かない影の部分が発生することがなく、効率よく担持体２０１に担持された光触媒を励起することが可能となっている。
【００４７】
基体２０５は、送風ファン２０３と脱臭フィルタ２０４とを断熱箱体１０１に取り付けられた状態で断熱箱体１０１の面に対して寝かした状態となるように保持している。このように送風ファン２０３と脱臭フィルタ２０４を水平方向に対して寝かせた状態とすることで、除菌装置２００の断熱箱体１０１内部への突出を可及的に少なくすると共に、大容量の空気を除菌装置２００に導入することができ、また、前記大容量の空気を広い表面積を備えた脱臭フィルタ２０４に通過させることが可能となる。
【００４８】
断熱箱体１０１の除菌装置２００が取り付けられる部分は、凹陥した凹陥部１２０が形成されており、他の部分に比べて断熱材が薄くなっている。
【００４９】
凹陥部１２０に除菌装置２００を取り付けることにより、除菌装置２００が断熱箱体１０１に突出するのを防ぐことができ、断熱箱体１０１内部の容積の現象を可及的に抑えることが可能となる。加えて、断熱材が薄くなっていることから、除菌装置２００の温度を他の部分より上昇させることができ、効率よく除菌を行うことが可能となる。
【００５０】
断熱箱体１０１の凹陥部１２０の底部には照射手段２０２が取り付けられているが、当該部分は担持体２０１と照射手段２０２との距離が狭くなるように突出している。
【００５１】
照明手段３００は、断熱箱体１０１内を照明する装置であって、照明光源３０１と、照明基板３０２と、点灯基板（図示せず）とを備えている。照明手段３００は、除菌装置２００が取り付けられている凹陥部１２０の除菌装置２００より断熱扉１０７側に取り付けられている。照明手段３００は、断熱箱体１０１内部を断熱扉１０７側から断熱箱体１０１の奥側に向けて照明できるように断熱箱体１０１に取り付けられている。
【００５２】
照明光源３０１は、断熱箱体１０１内部を照明するための発光源であり、本実施の形態では白色ＬＥＤが照明光源３０１として採用されている。
【００５３】
照明基板３０２は、複数の照明光源３０１を一列に保持し、照明光源３０１に電力を供給するための配線がプリントされたプリント基板である。照明基板３０２は、凹陥部１２０に植設された係合爪３０３と係合することで、凹陥部１２０に保持されている。
【００５４】
点灯基板は、直冷式冷蔵庫１００に供給されている電力を照明光源３０１に適した電力に変換して供給する回路を備えている。当該点灯基板は、担持体２０１に励起光を照射する光源２０７に対しても電力を供給している。また、点灯基板は、断熱扉１０７の開閉を検知し、断熱扉１０７が開状態であるときのみ照明光源３０１に電力を供給できる回路を備えている。
【００５５】
図５は、除菌装置、および、照明手段をカバー部材で覆った状態を示す底面図である。
【００５６】
カバー部材２０６は、断熱箱体１０１に取り付けられた除菌装置２００、及び、照明手段３００全体を覆うことのできる板状の部材であり、空気導入口２１１と空気導出口２１２と透明窓部２１３とを備えている。また、空気導入口２１１と空気導出口２１２には空気の流れを制御するルーバーが複数枚取り付けられている。カバー部材２０６は、除菌装置２００と照明手段３００とを覆い隠すことにより意匠性の向上を図ると共に、除菌装置２００や照明手段３００と所定の距離を隔てて配置されることで除菌装置２００や照明手段３００を断熱箱体１０１内部の冷気から隔てている。従って、カバー部材２０６により、除菌装置２００や照明手段３００が結露し、性能が低下するのを防止している。また、カバー部材２０６は、断熱箱体１０１に埋設される照明手段３００も覆っているため、照明手段３００から発生する熱は断熱箱体１０１よりむしろ除菌装置２００に導入される。従って、除菌装置２００に導入される空気の温度が断熱箱体１０１内の空気の温度より若干上昇し、除菌や脱臭が促進される。
【００５７】
透明窓部２１３は、カバー部材２０６の照明手段３００と対向する部分であり、当該部分は透明となっている。
【００５８】
カバー部材２０６の透明窓部２１３以外は半透明の磨りガラス状となっており、基体２０５も、全体が半透明の磨りガラス状となっている。これにより、光源２０７から照射される可視光の一部や除菌装置２００内部で反射した可視光の反射光が断熱箱体１０１内部に漏れ出すようになっている。これにより、除菌がなされていることを確認することができ、照射手段２０２が故障しているか否かを外部から確認可能となっている。
【００５９】
以上のように構成された直冷式冷蔵庫１００について、以下その動作、作用を説明する。
【００６０】
断熱箱体１０１内部に存在する臭気成分（有機物質等）や細菌を含んだ空気は、送風ファン２０３の送風力により、カバー部材２０６の空気導入口２１１を通過し、送風ファン２０３を経て除菌装置２００の内部に導入される。導入された空気は、担持体２０１の最も面積の大きな面を舐めるように通過する。ここで、照射手段２０２とこれに対向する基体２０５とで挟まれる流路は、他の部分より狭く設定されているため、空気は担持体２０１と多く接触する。空気中に含まれる臭気成分や細菌は、担持体２０１の表面に捕捉される。捕捉された臭気成分や菌は、酸化銀の通常の（光触媒作用ではない）触媒作用による酸化分解および、除菌作用にて、脱臭・除菌される。これによって、光を照射しない時にも酸化銀の作用にて臭気分解、除菌作用が発揮されるため、所望の脱臭・除菌効果を確保しつつ光の照射量や時間を減じることができ、照射手段の寿命の長期化や省エネ効果を高めることができる。さらに、光源２０７から照射される光エネルギー（青色や紫外光）によって、これらの波長領域に吸収スペクトルを有する酸化銀が青色光の光エネルギーにて励起し、担持体２０１表面の光触媒が励起される。光触媒が励起すると、空気中の水分よりＯＨラジカルが発生し、担持体２０１に捕捉されたり担持体２０１近傍に存在する臭気成分の酸化分解と細菌の溶菌が行なわれる。
【００６１】
さらに、担持体表面では分解しきれなかった臭気成分などは、空気と共にハニカム構造の脱臭フィルタ２０４の孔を通過し、脱臭フィルタ２０４に吸着され保持される。
【００６２】
以上により除菌装置２００を通過した空気は、脱臭・除菌されたクリーンな空気となってカバー部材２０６の空気導出口２１２から断熱箱体１０１内部に吹き出される。従って、当該除菌を継続すれば、断熱箱体１０１全体の細菌数を減少させ、臭気成分を減少させることが可能となる。
【００６３】
一方、断熱箱体１０１内部においては、除菌装置２００への空気の導入と、除菌装置２００からの空気の導出により、空気の全体的な対流が促進される。従って、冷気が断熱箱体１０１の底部に溜まることを防止し、断熱箱体１０１の内部の温度を均一にすることが可能となる。さらに、除菌装置２００によって生成されたＯＨラジカルは、空気とともに断熱箱体１０１内部を対流し、断熱箱体１０１内においても脱臭・除菌を行う。
【００６４】
以上により、直冷式冷蔵庫は、除菌装置２００により有機系除菌剤などを使用することなく、物理的に除菌、消臭をすることができる。有機系除菌剤による人体などの影響を考慮する必要が無くなる。また、光触媒は、光触媒自体が変化することなく除菌、消臭をすることができるため、半永久的に効果を維持することが可能である。
【００６５】
また、照明手段３００は、断熱扉１０７が開いたことを検知して点灯する。照明手段３００点灯時は、断熱扉１０７側から断熱箱体１０１の奥側に向けて光が照射されるため、断熱箱体１０１内に貯蔵される貯蔵物の正面が照らされ、貯蔵物が非常に見やすくなる。
【００６６】
なお、担持体２０１の最も面積の広い面を鉛直面と平行に保持しても構わない。このように担持体を配置すれば、担持体２０１が結露した場合でも、最も面積の広い面に結露した水分は、重力により下方に引っ張られ最も面積の広い部分は水が切られた状態となる。従って、結露した水分に邪魔されることなく分岐された空気に対し光触媒により除菌や脱臭を施すことが可能となる。
【００６７】
また、上記実施の形態では、照射手段２０２や照明手段３００を断熱箱体１０１に直接取り付け、断熱箱体１０１と基体２０５とで流路を形成したが、本願発明はこれに限定される訳ではない。例えば図６に示すように、箱形状の筐体に照射手段２０２、担持体２０１、送風ファン２０３、照明手段３００を取り付け、断熱箱体１０１に対し着脱自在なユニット状の照明、除菌装置としてもかまわない。このようにすることにより、照明、除菌装置の直冷式冷蔵庫への着脱が容易になる。
【００６８】
本発明にかかる直冷式冷蔵庫は、断熱材で構成され、内部に貯蔵室を形成する箱本体としての断熱箱体１０１と、前記箱本体の開口部に開閉自在に取り付けられる扉体と、箱本体内の空気を直接冷却する冷却手段としての冷却１１０器とを備える直冷式冷蔵庫であって、貯蔵室内に配置され、光触媒が担持される担持体２０１と、光触媒を励起する励起光を担持体２０１に照射する照射手段２０２と、貯蔵室内の空気を担持体２０１に向かって強制的に送風する送風手段である送風ファン２０３と、前記送風手段により送風される空気の流路を形成する流路形成手段としての基体２０５と有する除菌装置２００と、箱本体内壁に取り付けられる除菌装置２００を覆うカバー部材２０６と、カバー部材２０６に覆われ、箱本体内部を照明する照明手段３００とを備える。
【００６９】
これにより、除菌装置２００と照明手段３００が同一のカバー部材２０６で覆われており、コンパクトな状態で除菌、消臭と貯蔵室内の照明を行うことができる。また、照明手段３００で発生する熱を除菌、消臭に有効に活用することができる。また、除菌装置２００と照明手段３００との電気系統などを共有することも可能となり、省スペース、コストダウンを図ることが可能となる。
【００７０】
また、除菌装置２００は、箱本体の天井面に取り付けられ、照明手段３００は、除菌装置２００より扉体側に取り付けられることが好ましい。
【００７１】
また、照射手段２０２は、光の照射方向に指向性を有し、光が扉体側から箱本体の奥側に向かうように、箱本体に取り付けられることが好ましい。
【００７２】
これらにより、扉体をあけたときに貯蔵室内部の食品などが手前側から照らされるため、食品などが鮮明に認識できる。
【００７３】
また、照明手段３００は、箱本体に設けられる凹陥部に取り付けられることが好ましい。
【００７４】
これにより貯蔵室内の容量を大きく犠牲にすることと無く、貯蔵室内を照らすことが可能となる。
【００７５】
以上のように、本発明にかかる直冷式冷蔵庫は、貯蔵室内の空気を強制的に送風して当該風に含まれる細菌などを除菌し、除菌後の風を放出する。従って、貯蔵室内の空気を強制的に対流させながら貯蔵室内全体にわたって除菌を行うことが可能となる。さらに、除菌装置と共にカバー部材で覆われる照明手段で貯蔵室内を照明するため、コンパクトな除菌、照明ユニットを提供することが可能となる。
【産業上の利用可能性】
【００７６】
本発明は、直冷式冷蔵庫に利用可能である。
【図面の簡単な説明】
【００７７】
【図１】本発明の実施の形態１における直冷式冷蔵庫の正面図
【図２】同実施の形態における直冷式冷蔵庫を模式的に示す縦断面図
【図３】同実施の形態における直冷式冷蔵庫に取り付けられた状態の除菌装置、照明手段を示す断面図
【図４】同実施の形態における直冷式冷蔵庫に取り付けられた状態の除菌装置、照明手段を示す底面図
【図５】同実施の形態における除菌装置、および、照明手段をカバー部材で覆った状態を示す底面図
【図６】同実施の形態における別態様の除菌装置を備える直冷式冷蔵庫を模式的に示す断面図
【図７】従来例を示す直冷式冷蔵庫の要部斜視図
【図８】他の従来例を示す直冷式冷蔵庫の断面図
【符号の説明】
【００７８】
１００  直冷式冷蔵庫
１０１  断熱箱体（箱本体）
１０２  冷蔵室（貯蔵室）
１０３  冷凍室（貯蔵室）
１０７，１０８  断熱扉（扉体）
１１０  冷却器（冷却手段）
１１１  圧縮機
１２０  凹陥部
２００  除菌装置
２０１  担持体
２０２  照射手段
２０３  送風ファン（送風手段）
２０４  脱臭フィルタ
２０５  基体（流路形成手段）
２０６  カバー部材
２０７  光源
２１１  空気導入口
２１２  空気導出口
２１３  透明窓部
３００  照明手段
３０１  照明光源
３０２  照明基板
３０３  係合爪
【図１】
2009030918.tif 000003
【図２】
2009030918.tif 000004
【図３】
2009030918.tif 000005
【図４】
2009030918.tif 000006
【図５】
2009030918.tif 000007
【図６】
2009030918.tif 000008
【図７】
2009030918.tif 000009
【図８】
2009030918.tif 000010